(57)【要約】【課題】所定の間隔で配置した駆動スプロケットと遊動スプロケットに回動可能に張設し脱穀フィードチェンの巻き込みと振れを防止して脈動騒音を軽減させる。【解決手段】脱穀フィードチェン３の非搬送作用側ｂの移動方向上手に配置される遊動スプロケット４１ｂまたは駆動スプロケットに近接すると共に、非搬送作用側ｂの移動方向下手に向けて延出させた脱穀フィードチェン３に内接する内接ガイド４８を設け、一方前記非搬送作用側ｂの移動方向下手に配置される駆動スプロケット４２または遊動スプロケット寄りには、脱穀フィードチェン３に外接する外接ガイド（４９）を設け、更に前記脱穀フィードチェン３を、内接ガイド４８と接する部分Ｄを凸にし、外接ガイド４９と接する部分Ｅを凹にして段差状に張設した。【選択図】図３
2009268398.tif 000002
【特許請求の範囲】
【請求項１】
所定の間隔で配置した駆動スプロケット（４２）と遊動スプロケット（４１ａ，４１ｂ）に脱穀フィードチェン（３）を張設し、この脱穀フィードチェン（３）と挟扼レール（３５）による搬送作用側（ａ）で穀稈を搬送する脱穀装置（１）において、前記脱穀フィードチェン（３）の非搬送作用側（ｂ）の移動方向上手に配置される遊動スプロケット（４１ｂ）または駆動スプロケットに近接すると共に、非搬送作用側（ｂ）の移動方向下手に向けて延出させた脱穀フィードチェン（３）に内接する内接ガイド（４８）を設け、一方前記非搬送作用側（ｂ）の移動方向下手に配置される駆動スプロケット（４２）または遊動スプロケット寄りには、脱穀フィードチェン（３）に外接する外接ガイド（４９）を設けたことを特徴とする脱穀フィードチェンの張設構造。
【請求項２】
前記脱穀フィードチェン（３）を、内接ガイド（４８）と接する部分（Ｄ）を凸にし、外接ガイド（４９）と接する部分（Ｅ）を凹にして段差状に張設したことを特徴とする請求項１に記載の脱穀フィードチェンの張設構造。
【発明の詳細な説明】
【技術分野】
【０００１】
本発明は、コンバインやハーベスタ等に搭載される脱穀装置に備える脱穀フィードチェンの張設構造に関する。
【背景技術】
【０００２】
従来、コンバインに搭載される脱穀装置には、扱室の外側方に脱穀フィードチェンを張設してあり、この脱穀フィードチェンにより刈取部から搬送される穀稈を扱室の入口から扱室内に供給すると共に、扱室で脱穀された後の排藁を脱穀フィードチェンの終端で受継する排藁搬送装置を備えており、該排藁搬送装置を介して後送される排藁は、その後方下部に設けたカッタ（後処理）装置によって切断処理がなされる。
【０００３】
そして、前記脱穀フィードチェンの搬送終端側に設けられている掛張遊動スプロケットを機壁に取り付けるブラケットに、チェンガイドと、このチェンガイドを脱穀フィードチェンに弾接させる方向に付勢するスプリングを一体的に組み付けて、当該脱穀フィードチェンの回動騒音の軽減とチェンガイドの組付けの容易化を図ったものが知られている（例えば、特許文献１参照）。
【特許文献１】実開昭５７−７９３９号公報（図１−図３）
【発明の開示】
【発明が解決しようとする課題】
【０００４】
ところが、上述した特許文献１のチェンガイドは、回動する脱穀フィードチェンの張り側となる掛張遊動スプロケットと回動案内輪との間において、脱穀フィードチェンの巻き角が大きくなる掛張遊動スプロケットの近傍に設けられており、当該チェンガイドを脱穀フィードチェンに弾接させる方向に付勢するスプリングが適切でなければ、掛張遊動スプロケットへの脱穀フィードチェンの巻き込みによる脈動騒音（しゃくり音）を軽減させることができず、また掛張遊動スプロケットと回動案内輪間の脱穀フィードチェンの触れを十分に吸収することができなかった。
【課題を解決するための手段】
【０００５】
本発明は、上記課題を解決することを目的としたものであって、所定の間隔で配置した駆動スプロケットと遊動スプロケットに脱穀フィードチェンを張設し、この脱穀フィードチェンと挟扼レールによる搬送作用側で穀稈を搬送する脱穀装置において、前記脱穀フィードチェンの非搬送作用側の移動方向上手に配置される遊動スプロケットまたは駆動スプロケットに近接すると共に、非搬送作用側の移動方向下手に向けて延出させた脱穀フィードチェンに内接する内接ガイドを設け、一方前記非搬送作用側の移動方向下手に配置される駆動スプロケットまたは遊動スプロケット寄りには、脱穀フィードチェンに外接する外接ガイドを設けたことを第１の特徴としている。
そして、前記脱穀フィードチェンを、内接ガイドと接する部分を凸にし、外接ガイドと接する部分を凹にして段差状に張設したことを第２の特徴としている。
【発明の効果】
【０００６】
請求項１の発明によれば、脱穀フィードチェンの非搬送作用側の移動方向上手に配置される遊動スプロケットまたは駆動スプロケットに近接すると共に、非搬送作用側の移動方向下手に向けて延出させた脱穀フィードチェンに内接する内接ガイドを設け、一方前記非搬送作用側の移動方向下手に配置される駆動スプロケットまたは遊動スプロケット寄りには、脱穀フィードチェンに外接する外接ガイドを設けたことによって、前記脱穀フィードチェンの非搬送作用側の移動方向上手に配置される遊動スプロケット、または駆動スプロケットへの脱穀フィードチェンの巻き込みと内方への振れを確実に防止して、その脈動騒音を軽減させると共に、前記非搬送作用側の移動方向下手における脱穀フィードチェンの振れも吸収できるようになる。
そして。請求項２の発明によれば、前記脱穀フィードチェンを、内接ガイドと接する部分を凸にし、外接ガイドと接する部分を凹にして段差状に張設したことによって、当該脱穀フィードチェンの全体的な張設構造のコンパクト化が図れる。
【発明を実施するための最良の形態】
【０００７】
以下、本発明の実施形態を図面に基づいて説明する。図１は、図示しないコンバインに搭載される脱穀装置１の側断面図であって、この脱穀装置１に構成される扱室２の前後方向に沿って脱穀フィードチェン３を張設すると共に、該脱穀フィードチェン３の終端部に排藁搬送装置４を連設して、扱室２で脱穀した後の排藁を機体の後部に配設した排藁処理部（カッター）５へ搬送できるようになっている。
【０００８】
そして、脱穀装置１は、扱室２を構成する複数の扱歯６ａ，・・を外周に突設した扱胴６と、この扱胴６の下側には、多数の図示しない漏下孔を備える円弧状の受網７を設けると共に、扱胴６及び受網７の終端部穂先側には、処理胴８及び処理網９を内装した処理室１１を並設している。
【０００９】
また、扱室２の下方には、波板状の無孔移送板１２ａ及び開度可変なチャフシーブ１３を備えており、このチャフシーブ１３の下方に無孔移送板１２ｂを配設し、該無孔移送板１２ｂの終端部から後方に向けて濾過体１４を張設すると共に、その下方に一番樋１５に一番物を流下させる一番流板１６を斜設し、該一番流板１６の後端部から後方に向けてストローラック１７を設け、更にその下方に二番樋１８に二番物を流下させる二番流板１９を斜設して、これらを一体的に枠組みした揺動選別体２１を構成している。尚、揺動選別体２１は、その前後を支持リンク２２と駆動リンク２３等で構成する揺動支持機構を備えると共に、脱穀装置１の側壁１ａ，１ｂ（図２参照）に着脱自在に支持されている。
【００１０】
そして、揺動選別体２１の下方には、送風ファン２４、一番流板１６等からなる選別風路２５を形成しており、揺動する揺動選別体２１に向く下方からの選別風Ａにより一番物を風選し、且つ選別風路２５の後方に配設した補助送風ファン２６から送風される選別風Ｂにより、ストローラック１７上の二番物を風選し、更に選別分離された後ストローラック１７から排出される夾雑物と処理室１１から排出される夾雑物とを、横断流ファン２７を介して機体後方の排塵口２８から機外へ放出できるようになっている。尚、一番樋１５に落下した穀粒は、揚穀筒２９により穀粒タンク３１に揚上搬送されると共に、二番樋１８に落下した二番物は、二番還元筒３２を介して揺動選別体２１上に還元されるようになっている。
【００１１】
また、図２は、一部を省略した脱穀装置１の正面図であって、扱室２の上方は、開閉自在な上部枠体３３によって覆われている。この上部枠体３３は、扱室２の処理室１１側上部の機体前後方向に配設した図示しない回動支点軸に開閉自在に支持しており、扱室２内の清掃や点検等を行う際は、容易に開放できるようになっている。
【００１２】
そして、上部枠体３３は、その側方に脱穀フィードチェン３の上側に沿って配置される挟扼レール３５を支持すると共に、上部枠体３３の前側板３３ａと後側板３３ｂに扱胴６の回転軸３６を軸支して当該扱胴６を回転自在に支承している。更に、上部枠体３３は、排藁搬送装置４を構成する排藁搬送チェン３７及び排藁カバー３８と連係しており、上部枠体３３の開き操作によって、扱胴６、挟扼レール３５、排藁搬送チェン３７及び排藁カバー３８を一体に上昇回動させることができるようになっている。
【００１３】
次に、脱穀フィードチェン３の張設構造について説明する。図３及び図４は、脱穀フィードチェン３の張設構造を示す一部を省略した側面図と斜視図であって、脱穀フィードチェン３は、前後に所定の間隔で配置した遊動スプロケット４１ａ，４１ｂと、両遊動スプロケット４１ａ，４１ｂ間の下方に所定の間隔で設けた駆動スプロケット４２に張設してあり、その長手（前後）方向の搬送作用側ａをチェンレール４３によって摺動案内すると共に、駆動スプロケット４２に入力される動力によって図中Ｃ矢印方向に回動する脱穀フィードチェン３の緩み側、即ち駆動スプロケット４２と前側の遊動スプロケット４１ａの間には、当該脱穀フィードチェン３を常時緊張状態に付勢するテンションローラ４４を配設している。
【００１４】
上述したチェンレール４３は、脱穀装置１の外側側壁１ｂ（図２参照）の上部、即ち扱室２の外枠２ａに螺設した前後のホルダ４５，４６の上部に前低後高状に一体的に固設されている。そして、チェンレール４３の前端に前側の遊動スプロケット４１ａを回転自在に支承すると共に、後側ホルダ４６の後端部に後側の遊動スプロケット４１ｂを回転自在に支承している。
【００１５】
そして、前後のホルダ４５，４６の下部には、パイプ材からなる下部フレーム４７を一体的に連結してあり、その先端部に駆動スプロケット４２を支承している。また、回動する脱穀フィードチェン３の張り側、即ち脱穀フィードチェン３の非搬送作用側ｂとなる後側の遊動スプロケット４１ｂと駆動スプロケット４２との間には、後側の遊動スプロケット４１ｂへの脱穀フィードチェン３の巻き込みを防止すべく脱穀フィードチェン３に内接させた内接ガイド４８と、脱穀フィードチェン３の振れを防止すべく脱穀フィードチェン３に外接させた外接ガイド４９を設けている。
【００１６】
更に詳しく説明すると、上述した内接ガイド４８は、遊動スプロケット４１ｂに近接すると共に駆動スプロケット４２側へ延出させてあり、また外接ガイド４９は、駆動スプロケット寄りに配置してある。また、脱穀フィードチェン３が内接ガイド４８と外接ガイド４９に接する部分（面）Ｄ，Ｅは、共に脱穀フィードチェン３に沿った板状部材４８ａ，４９ａからなり、内接ガイド４８は、後側の遊動スプロケット４１ｂ寄りの下部フレーム４７に、外接ガイド４９は、駆動スプロケット４２寄りの下部フレーム４７にそれぞれ螺設してある。そして、両ガイド４８，４９に接する脱穀フィードチェン３は、内接ガイド４８に接する部分Ｄを凸にし、外接ガイド４９に接する部分Ｅを凹にした段差状、即ち図３に示す如く段差Ｈが生じるように張設してある。
【００１７】
以上説明した構成によれば、所定の間隔で配置した駆動スプロケット４２と遊動スプロケット４１ａ，４１ｂに脱穀フィードチェン３を張設し、この脱穀フィードチェン３と挟扼レール３６による搬送作用側ａで穀稈を搬送する脱穀装置１において、前記脱穀フィードチェン３の非搬送作用側ｂの移動方向上手に配置される遊動スプロケット４１ｂまたは駆動スプロケットに近接すると共に、非搬送作用側ｂの移動方向下手に向けて延出させた脱穀フィードチェン３に内接する内接ガイド４８を設け、一方前記非搬送作用側ｂの移動方向下手に配置される駆動スプロケット４２または遊動スプロケット寄りには、脱穀フィードチェン３に外接する外接ガイド４９を設けたことによって、前記脱穀フィードチェン３の非搬送作用側ｂの移動方向上手に配置される遊動スプロケット４１ｂ、または駆動スプロケットへの脱穀フィードチェン３の巻き込みと内方への振れを確実に防止して、その脈動騒音を軽減させると共に、前記非搬送作用側ｂの移動方向下手における脱穀フィードチェン３の振れも吸収できるようになる。
そして。前記脱穀フィードチェン３を、内接ガイド４８と接する部分Ｄを凸にし、外接ガイド４９と接する部分Ｅを凹にして段差状に張設したことによって、当該脱穀フィードチェン３の全体的な張設構造のコンパクト化が図れる。即ち、本実施例では、前後に配置した遊動スプロケット４１ａ，４１ｂ間の下方に設ける駆動スプロケット４２を、両遊動スプロケット４１ａ，４１ｂに対してより近づけた上下位置に配設することができるので、脱穀フィードチェン３の上下方向の張設構造をコンパクトに構成できる。
【００１８】
尚、図５〜図８は、後側の遊動スプロケット４１ｂ寄りに配置する内接ガイド４８の別実施例を示すものであって、先ず図５に示す内接ガイド４８は、後側のホルダ４６に螺設するための二つ取付孔４８ｂ，４８ｃのうち後側の取付孔４８ｃを長孔に形成し、前側の取付孔４８ｂに螺挿する締結ボルト５１を支点とした内接ガイド４８の回動によって、前記取付孔（長孔）４８ｃの許容する範囲内で脱穀フィードチェン３の張り具合を調整できるように構成している。
そして、図６に示す内接ガイド４８は、下部フレーム４７との間に圧縮スプリング５２，５２を介装し、これらの圧縮スプリング５２，５２を介して脱穀フィードチェン３の比較的広範囲を常時張り側に付勢するものであり、それにより脱穀フィードチェン３の伸びによる脈動等の悪影響を回避することができる。同様に図７に示すものは、帯状のバネ鋼を曲げ形成して内接ガイド４８を構成したものであり、このものでも脱穀フィードチェン３の比較的広範囲を常時張り側に付勢することができる。
また、図８に示す内接ガイド４８は、脱穀フィードチェン３の搬送作用側Ｂを構成するチェンレール４３の終端部に当該内接ガイド４８を一体的に溶接して簡潔な構成としたものである。
【図面の簡単な説明】
【００１９】
【図１】脱穀装置周辺の概略側面図。
【図２】一部を省略した脱穀装置の正面図。
【図３】脱穀フィードチェンの張設構造を示す一部を省略した側面図。
【図４】脱穀フィードチェンの張設構造を示す一部を省略した斜視図。
【図５】内接ガイドの別実施例を示す側面図。
【図６】内接ガイドの別実施例を示す側面図。
【図７】内接ガイドの別実施例を示す側面図。
【図８】内接ガイドの別実施例を示す側面図。
【符号の説明】
【００２０】
１      脱穀装置
３      脱穀フィードチェン
３５    挟扼レール
４１ａ  遊動スプロケット（前側）
４１ｂ  遊動スプロケット（後側）
４２    駆動スプロケット
４８    内接ガイド
４９    外接ガイド
Ｄ      内接ガイドに接する部分
ａ      搬送作用側
ｂ      非搬送作用側
Ｅ      外接ガイドに接する部分
【図１】
2009268398.tif 000003
【図２】
2009268398.tif 000004
【図３】
2009268398.tif 000005
【図４】
2009268398.tif 000006
【図５】
2009268398.tif 000007
【図６】
2009268398.tif 000008
【図７】
2009268398.tif 000009
【図８】
2009268398.tif 000010